(57)【要約】【課題】コンクリートミキサー車を洗浄したときに洗浄水とともに排出されるスラリー状の残存コンクリート等を処理する脱水ピットであって、広い設置面積を要さず、しかも、簡単な構成であることから低コストで設置可能なるものを提供する。【解決手段】上面が前傾状に形成された底壁２と、該底壁の正面に起立状に形成された正面壁３と、該底壁の両側縁に起立状に形成された両側壁４とからなるピット１を形成し、該両側壁の前端縁に内向に突出する係止部５を形成するとともに、Ｈ形鋼からなる支柱６を該底壁の前縁に抜差自在に樹立し、両端部を該係止部および該支柱溝により係止し多数の角材９を横架状に段積することにより該ピットの前面にゲート１０を形成し、該ピット内にコンクリートスラリーを投入することにより該角材の隙間から水分を流出させる。また、支柱６の上端部に吊上用フック８を設けるとともに、多数の角材９を可撓性部材１１により連結してなる。【選択図】図１
2005205637.tif 000002
【特許請求の範囲】
【請求項１】
上面が前傾状に形成された底壁と、該底壁の正面に起立状に形成された正面壁と、該底壁の両側縁に起立状に形成された両側壁とからなるピットを形成し、該両側壁の前端縁に内向に突出する係止部を形成するとともに、Ｈ形鋼からなる支柱を該底壁の前縁に抜差自在に樹立し、両端部を該係止部および該支柱溝により係止し多数の角材を横架状に段積することにより該ピットの前面にゲートを形成し、該ピット内にコンクリートスラリーを投入することにより該角材の隙間から水分を流出させるようにしたことを特徴とする残存生コンクリート処理用脱水ピット。
【請求項２】
支柱の上端部に吊上用フックを設けた請求項１に記載の残存生コンクリート処理用脱水ピット。
【請求項３】
多数の角材を可撓性部材により連結してなる請求項１または２に記載の残存生コンクリート処理用脱水ピット。
【請求項４】
ピットの間口寸法をパワーショベルが挿入可能な２〜３メートルに設定した請求項１〜３のいずれかに記載の残存生コンクリート処理用脱水ピット。
【発明の詳細な説明】
【技術分野】
【０００１】
本発明は、コンクリートミキサー車を洗浄したときに洗浄水とともに排出されるスラリー状の残存コンクリート等を処理する装置に関するものである。
【背景技術】
【０００２】
生コン工場では、コンクリートミキサー車のドラム内に余剰となって残存し、洗浄時に洗浄水とともに排出されたスラリー状の残存コンクリートを処理するに際して、トロンメルまたは傾斜簀子等の粗骨材回収装置に導いて該残存コンクリート中から粗骨材を分離回収し、さらにクラッシフアイア等の細骨材回収装置に導いて砂などの細骨材を分離回収し、次いでこのスラリーを撹拌槽に導き上澄水を回収すると共に、該撹拌槽にて沈降したスラッジ水を高圧ポンプによりフィルタープレスに圧送して脱水し、濾滓（以下、脱水ケーキという）として処理している。
【０００３】
また下記特許文献１は、上記工場設備を使用し残存コンクリートを効果的に再利用する処理方法を開示したものである。
【特許文献１】特開平６−２３８６５１号公報
【０００４】
また、ミキサー車から排出した残存コンクリート等を地面に拡げていわゆる天日乾燥させた後、そのコンクリート塊をクラッシャーで破砕し、路盤材等として再利用することもなされている。
【発明の開示】
【発明が解決しようとする課題】
【０００５】
ところで、上記処理方法ではフィルタープレス等の設備を生コン工場に設置するのに多大なイニシャルコストを要するものであった。また、上記脱水ケーキは、セメント水和物の微小粒子であるので、そのまま海中或いは地中に投棄すると分散し公害のおそれがあり、未だ適当な処理方法が確率されていないことから産業廃棄物としての高価な処理費用を要するという問題がある。
また、上記のような天日乾燥による処理には広大な土地を必要とするので都会地での実施が困難であった。
【０００６】
本発明は上記のような問題点を解消し、広大なスペースを要さず低コストで実施可能な残存生コンクリート処理用脱水ピットを提供しようとするものである。
【課題を解決するための手段】
【０００７】
そのために請求項１に記載の発明は、上面が前傾状に形成された底壁と、該底壁の正面に起立状に形成された正面壁と、該底壁の両側縁に起立状に形成された両側壁とからなるピットを形成し、該両側壁の前端縁に内向に突出する係止部を形成するとともに、Ｈ形鋼からなる支柱を該底壁の前縁に抜差自在に樹立し、両端部を該係止部および該支柱溝により係止し多数の角材を横架状に段積することにより該ピットの前面にゲートを形成し、該ピット内にコンクリートスラリーを投入することにより該角材の隙間から水分を流出させるようにしたことを特徴とする。
【０００８】
また請求項２に記載の発明は、上記残存生コンクリート処理用脱水ピットにおいて、支柱の上端部に吊上用フックを設けたことを特徴とする。
【０００９】
また請求項３に記載の発明は、上記請求項１または２に記載の残存生コンクリート処理用脱水ピットにおいて、多数の角材を可撓性部材により連結してなることを特徴とする。
【００１０】
また請求項４に記載の発明は、上記請求項１〜３のいずれかに記載の残存生コンクリート処理用脱水ピットにおいて、ピットの間口寸法をパワーショベルが挿入可能な２〜３メートルに設定したことを特徴とする。
【発明の効果】
【００１１】
請求項１に記載の残存生コンクリート処理用脱水ピットは、支柱を樹立したことにより多数の角材を段積したゲートを簡単に形成でき、コンクリートスラリーを投入し脱水ができるとともに、該コンクリートスラリーが半固結状となったところで該支柱を抜くことで該角材の段積状態が容易に壊され、ピット内の半固結状物をパワーショベル等を使って掻き出すことができる。また、広いスペースを要さず都会地での設置が可能で、しかも、簡単な構成であることから設備費が掛からず低コストで設置できる。
【００１２】
請求項２に記載の発明では、支柱の抜き取り作業を容易にする。
【００１３】
請求項３に記載の発明では、角材の再段積作業を容易にする。
【００１４】
請求項４に記載の発明では、パワーショベルを使っての効率的な掻き出し作業を可能にする。
【実施例１】
【００１５】
次に本発明の実施例を説明する。図１はこの残存生コンクリート処理用脱水ピットの斜視図、図２は平面図、図３，図４はそのＡ−Ａ線断面図とＢ−Ｂ線断面図である。図中、１はコンクリートにより頑強に形成された矩形状ピットで、該ピットは、上面が前傾状に形成された底壁２と、該底壁の正面に起立状に形成された正面壁３と、該底壁の両側縁に起立状に形成された両側壁４とからなる間口が２〜３メートルのものである。そして該両側壁４の前端縁に内向に突出する係止部５が一体に形成される。６はＨ形鋼からなる支柱で、該支柱を底壁２の前縁中央部に穿設した穴７に差し込むことにより抜差自在に樹立する。なお、８は該支柱の上端部に設けた吊上用フックである。
【００１６】
また、９は角木または金属製角パイプからなる角材（バタ角）で、該角材の一端を係止部５の内面に係止し、他端を支柱６溝に係止することにより多数の該角材９を該ピット１の前面に横架状にして段積することにより該ピットの前面にゲート１０を形成する。なお、１１は皮革またはゴム等の可撓性材料からなる帯状の可撓性部材で、これを各角材９の前面にビス１２により止着することにより該各角材９を該可撓性部材により連結している。
【００１７】
このように構成した処理装置では、ミキサー車のドラム内に残った残存生コンクリートや、ミキサー車を洗浄したときに洗浄水とともに排出されるコンクリートスラリーをピット１内に投入することにより、各角材９間の隙間、および、前傾状の底壁２上より前方に水分を流出させる。そして、水分が流出し該コンクリートスラリーが半固結状態となったところで、吊上用フック８にワイヤを引っ掛けパワーショベルを使用して支柱６を吊り上げ該支柱を穴７から抜き取り該支柱と各角材９との係合を外した状態とし、該パワーショベルによってゲート１０を壊し該ピット１内の半固結状物をすくって別の乾燥場に運ぶ。そして大気中に自然放置することにより硬化させ定形の塊状物とし路盤材等に使用する。なお、半固結状物となったところですくい出すことにより、ピット内で固着することなく容易に排出できる。また、すくい出した半固結状物どうしが結合し大きな塊になることもない。
【００１８】
上記のように半固結状物を排出した後は、支柱６を穴７に再び差し込んで樹立し、多数の角材９を段積しゲート１０を形成することにより、何度でも該ピット１内にコンクリートスラリーを投入できるようになる。なお、可撓性部材１１により連結したことにより、各角材９が倒壊時にばらばらになることがないので次の段積作業を容易にする。
【産業上の利用可能性】
【００１９】
本発明の残存生コンクリート処理用脱水ピットは、実施例に示した生コン工場の他、コンクリート製品工場におけるミキサー、ホッパー等の設備を洗浄した際に生じる生コンクリートを含んだ排水の処理にも使用することができる。
【図面の簡単な説明】
【００２０】
【図１】本発明の実施例である残存生コンクリート処理用脱水ピットの斜視図。
【図２】本発明の実施例である残存生コンクリート処理用脱水ピットの平面図。
【図３】図２のＡ−Ａ線断面図。
【図４】図２のＢ−Ｂ線断面図。
【符号の説明】
【００２１】
１    ピット
２    底壁
３    正面壁
４    両側壁
５    係止部
６    支柱
７    穴
８    吊上用フック
９    角材
１０  ゲート
１１  可撓性部材
【図１】
2005205637.tif 000003
【図２】
2005205637.tif 000004
【図３】
2005205637.tif 000005
【図４】
2005205637.tif 000006